(57)【要約】【課題】燃焼機器のメンテナンス信号に用意されている命令を用いて、ガス使用量を測定し、ガス会社や情報提供会社のサーバーと接続しなくても、利用者にガスの使用量の目安を通知できる、燃焼機器または燃焼機器リモコンを提供することを目的とする。【解決手段】燃焼機器１１から燃焼機器リモコン１へメンテナンス信号を送信する信号送信手段１９と、所定の時間毎にガスの使用量を測定するガス使用量測定手段１８と、燃焼機器から送信されるガス使用量データを記憶するガス使用量記憶手段８と、所定の時間のガス使用量を算出するガス使用量算出手段９を備え、ガス使用量測定手段１８において、燃焼機器のメンテナンス信号に用意されている命令を用いることにより、ガスの使用量の目安を測定することができる。【選択図】　図２
2004144356.tif 000002
【特許請求の範囲】
【請求項１】
燃焼機器リモコンに対してメンテナンス信号を送信する信号送信手段と、所定の時間毎にガスの使用量を測定するガス使用量測定手段を備え、前記ガス使用量測定手段により測定したガス使用量データを、前記信号送信手段により前記燃焼機器リモコンに送信し、前記燃焼機器リモコンの表示部にガス使用量データを表示する燃焼機器。
【請求項２】
表示部と受信部を有し、メンテナンス信号を送信する信号送信手段と、所定の時間毎にガスの使用量を測定するガス使用量測定手段を備えた燃焼機器の前記ガス使用量測定手段がガスの使用量を測定し、前記送信手段が送信したガス使用量データを前記受信部が受信し、前記表示部にガス使用量データを表示する燃焼機器リモコン。
【請求項３】
バーナー毎に測定されるガスの使用量を測定するガス使用量測定手段を備え、前記ガス使用量測定手段により測定したバーナー毎のガス使用量データを、前記信号送信手段により前記燃焼機器リモコンに送信し、前記燃焼機器リモコンの表示部にバーナー毎のガス使用量データを表示する、請求項１に記載の燃焼機器。
【請求項４】
表示部と受信部を有し、メンテナンス信号を送信する信号送信手段と、所定の時間毎にバーナー毎のガスの使用量を測定するガス使用量測定手段を備えた燃焼機器の前記ガス使用量測定手段が、ガスの使用量を測定し、前記送信手段が送信したバーナー毎のガス使用量データを前記受信部が受信し、前記表示部にバーナー毎のガス使用量データを表示する、請求項２に記載の燃焼機器リモコン。
【請求項５】
燃焼機器リモコンに表示するガス使用量データは、ガス使用量の積算値であることを特徴とする、請求項２または４記載の燃焼機器リモコン。
【請求項６】
燃焼機器から送信するガス使用量データを記憶するガス使用量記憶手段と、所定の時間のガス使用量を算出するガス使用量算出手段を備え、所定の時間の間に使用したガス使用量データを前記燃焼機器リモコンに表示する、請求項２または４または５のいずれか１項に記載の燃焼機器リモコン。
【請求項７】
燃焼機器リモコンに表示するガス使用量データは、所定の時間の間に使用したガス使用量をグラフ化し前記燃焼機器リモコンの表示部に表示する、請求項２または４から６のいずれか１項に記載の燃焼機器リモコン。
【請求項８】
燃焼機器リモコンは、ネットワーク網を介してガス会社または管理会社が管理するサーバーと接続されており、ガス会社や管理会社からのガス使用量またはガス料金をサーバーからダウンロードし、前記燃焼機器リモコンの表示部に表示する、請求項１または４から７のいずれか１項に記載の燃焼機器リモコン。
【請求項９】
請求項１から８のいずれかに記載の燃焼機器が有する機能の一部または全部を外部コンピュータにより実行するためのプログラムとして出力できるようにした燃焼機器。
【発明の詳細な説明】
【０００１】
【発明の属する技術分野】
本発明は、燃焼機器リモコンによって遠隔制御する燃焼機器または燃焼機器リモコンに関するものである。
【０００２】
【従来の技術】
従来、燃焼機器をメンテナンスするためなどの目的で燃焼機器の状態情報や故障情報を出力する燃焼機器と、これをメンテナンスするためのパソコンで構成したメンテナンス機器が考案されている。
【０００３】
また、ガス使用量表示装置としては、特定時間帯の開始時刻と終了時刻とを設定スイッチ、確認スイッチで入力し、設定された特定時間帯の開始時刻と終了時刻とを内蔵する制御装置と時計とで検知し、ガスメータからのガス使用量積算値を開始時刻と終了時刻に制御装置で読取り、この差から特定時間帯のガス使用量を演算し、積算量表示領域に表示するものである。
【０００４】
また、一般に家庭にはガスメータが備えられ、使用したガス量がガスメータに表示され、ガスメータに表示されたガス使用量を検針したり、電話回線を通じてガスの使用量を通知し、定期的にガスの使用量や使用料金をガス会社から利用者に通知している。
【０００５】
従来例について図５、図６を用いて説明する。
【０００６】
図５は燃焼機器リモコンからでも燃焼機器を制御可能な熱源機制御システムの構成図の例であり、１は燃焼機器リモコンであり、燃焼機器または燃焼機器端末の操作を行う。燃焼機器リモコンは一般的に台所やリビングに設置されており、出湯温度の設定、お風呂のお湯はり、湯沸かしの機能を備えている。２は燃焼機器リモコン１の表示部である。３は燃焼機器リモコン１の入力手段である。１１は燃焼機器である。２１、２２、２３は燃焼機器端末であり、燃焼機器１１と燃焼機器端末２１、２２，２３は親機と子機の関係である。親機（燃焼機器）を制御することで、子機（燃焼機器端末）は制御される。
【０００７】
４と１２は、燃焼機器リモコン１と燃焼機器１１を接続するための接続手段、１３，１４、１５は燃焼機器端末との接続手段、２４，２５、２６は燃焼機器１１との接続手段である。
【０００８】
１６は燃焼機器１１の本体機能部で、例えば燃焼機器１１が給湯機の場合は湯沸かし機能、出湯機能等の燃焼機器１１の本来機能を有する。
【０００９】
１７は燃焼機器１１のＣＰＵなどから構成される燃焼機器制御手段である。
【００１０】
５１はガスメータであり、ガスの流量を測定したり、地震などの災害時にガスの供給を遮断する機能を備えている。
【００１１】
次に、従来例の動作について説明する。
【００１２】
燃焼機器リモコン１は一般的に、台所やリビングに設置され、台所やリビングから燃焼機器１１を遠隔操作し、風呂の給湯や給湯を行うことができる。
【００１３】
燃焼機器リモコン１を操作して、燃焼機器端末であるお風呂の湯はりを行う場合、利用者が燃焼機器リモコン１を操作すると、燃焼機器リモコン１はどこの燃焼機器端末であるか、湯量、湯温等の情報が含まれる電文を燃焼機器１１に送り、燃焼機器１１の燃焼機器制御手段は送信されてきた電文をもとに燃焼機器１１の本体機能部１６を操作することで、設定した通りにお風呂の湯はりを行うことができる。
【００１４】
使用したガス使用量は、一般的にガスメータ５１の表示部に積算表示され、ガスメータの表示部に表示されたガス使用量を検針したり、電話回線を通じてガスの使用量を通知している。
【００１５】
利用者へのガス使用量を通知する手段として、ガス会社からネットワーク網を介して前記燃焼機器リモコン１の表示部２に表示させる例を、図２を用いて説明する。
【００１６】
図６において、３１はガス会社または管理会社である。３２はガス会社または管理会社が管理するサーバーである。３３は燃焼機器リモコン１とサーバーを接続するネットワーク網である。
【００１７】
ガス会社が管理するサーバー３２と利用者宅の屋内に設置されている燃焼機器リモコン１は、ネットワーク網３３で接続されている。
【００１８】
近年、携帯電話に代表される情報端末の高性能化や、インターネットの急速な普及とそれに伴う情報通信インフラの整備が急速に進み、個人対企業の情報通信が急速に拡大している。
【００１９】
また、マンションなどでは、マンション内の回覧板や掲示板、駅の時刻表といったマンションまたは地域独自の情報を、情報提供会社からマンション情報端末に提供するサービスも実用化されている。この場合、情報提供会社自体が独自の情報を提供する形態と、情報提供会社は情報の管理や、利用者に提供するサービスにあったコンテンツを外部から集め、利用者に提供する形態とがある。
【００２０】
それら情報提供サービスとして、前記ネットワーク網を介して、ガス会社から利用者へガス使用量やガス料金を、各家庭の燃焼機器リモコン１に送信し、燃焼機器リモコン１の画面上で閲覧するといった手法も考えられている（例えば、特許文献１参照）。
【００２１】
【特許文献１】
特開平８−２３５４８０号公報
【００２２】
【発明が解決しようとする課題】
しかしながら、上述したように従来の技術によると、前記燃焼機器リモコン１にガスの使用量を表示させる場合、例えば、ガス会社が管理するサーバー３２と利用者宅の屋内に設置されている燃焼機器リモコン１は、ネットワーク網３３で接続されている必要があり、ガス会社が収集したガス使用量のデータを、前記ネットワーク網を介してデータをダウンロードする必要がある。そのためには、燃焼機器リモコン１はネットワーク網と接続するためのモデムやＬＡＮ等を備える必要があり、また、サーバーの維持費等も必要となる。
【００２３】
本発明は上記従来の課題を解決するもので、燃焼機器のメンテナンス信号を用いてガスの使用量を測定するものであり、ガス会社や情報提供会社のサーバーと接続しなくても、利用者にガスの使用量の目安を通知できる、燃焼機器または燃焼機器リモコンを提供することを目的としている。
【００２４】
【課題を解決するための手段】
上記課題を解決するため本発明は、燃焼機器リモコンに対してメンテナンス信号を送信する信号送信手段と、所定の時間毎にガスの使用量を測定するガス使用量測定手段を備え、前記ガス使用量測定手段により測定したガス使用量データを、前記信号送信手段により前記燃焼機器リモコンに送信し、前記燃焼機器リモコンの表示部にガス使用量データを表示する燃焼機器である。
【００２５】
これによって本発明は、従来、燃焼機器をメンテナンスするためなどの目的で燃焼機器の状態情報や故障情報を出力するシステムを応用し、燃焼機器の状態情報や故障情報のメンテナンス信号の中に含まれている、ガス使用量を取得する命令を用いて、ガス使用量の目安を取得し、燃焼機器リモコンに取得したガス使用量の目安を送信する燃焼機器を提供することができる。
【００２６】
【発明の実施の形態】
請求項１に記載の発明は、燃焼機器リモコンに対してメンテナンス信号を送信する信号送信手段と、所定の時間毎にガスの使用量を測定するガス使用量測定手段を備え、前記ガス使用量測定手段により測定したガス使用量データを、前記信号送信手段により前記燃焼機器リモコンに送信し、前記燃焼機器リモコンの表示部にガス使用量データを表示する燃焼機器である。
【００２７】
上記請求項１の発明の、構成、動作によると、従来、機器をメンテナンスするためなどの目的で燃焼機器の状態情報や故障情報を出力する燃焼機器と、これをメンテナンスするためのパソコンで構成したメンテナンス機器が考案されており、この燃焼機器の状態情報や故障情報の信号の中には、ガス使用量を取得する命令も含まれており、この命令を用いることにより、ガスの使用量の目安を取得できるので、利用者は月一回程度のガスの検針によるガス使用のだけでなく、燃焼機器から、ガスの使用量の目安を取得し、前記燃焼機器リモコンに送信することで、利用者にガスの使用量の目安を通知する燃焼機器を提供することができる。
【００２８】
また、請求項２に記載の発明は、表示部と受信部を有し、メンテナンス信号を送信する信号送信手段と、所定の時間毎にガスの使用量を測定するガス使用量測定手段を備えた燃焼機器の前記ガス使用量測定手段がガスの使用量を測定し、前記送信手段が送信したガス使用量データを前記受信部が受信し、前記表示部にガス使用量データを表示する燃焼機器リモコンであり、上記構成、動作によると、前記燃焼機器から送信したガス使用量データを受信し、表示部にガス使用量データを表示することができるので、利用者にガスの使用量の目安を通知できる燃焼機器リモコンを提供することができる。
【００２９】
また、請求項３に記載の発明は、請求項１に記載の発明に加えて、バーナー毎に測定されるガスの使用量を測定するガス使用量測定手段を備え、前記ガス使用量測定手段により測定したバーナー毎のガス使用量データを、前記信号送信手段により前記燃焼機器リモコンに送信し、前記燃焼機器リモコンの表示部にバーナー毎のガス使用量データを表示する燃焼機器であり、上記構成、動作によると、燃焼機器に暖房用バーナーと給湯用バーナーが備えられている場合、この燃焼機器の状態情報や故障情報のメンテナンス信号の中に含まれている、バーナー毎のガス使用量を取得する命令を用いて、バーナー毎のガス使用量の目安を取得することができるので、暖房に使用したガス使用量と、給湯に使用したガス使用量を個別に取得し、前記燃焼機器リモコンに送信することで、利用者にバーナー毎のガスの使用量の目安を通知する燃焼機器を提供することができる。
【００３０】
また、請求項４に記載の発明は、請求項２に記載の発明に加えて、表示部と受信部を有し、メンテナンス信号を送信する信号送信手段と、所定の時間毎にバーナー毎のガスの使用量を測定するガス使用量測定手段を備えた燃焼機器の前記ガス使用量測定手段が、ガスの使用量を測定し、前記送信手段が送信したバーナー毎のガス使用量データを前記受信部が受信し、前記表示部にバーナー毎のガス使用量データを表示する燃焼機器リモコンであり、上記構成、動作によると、前記燃焼機器から送信したバーナー毎のガス使用量データを受信し、表示部にバーナー毎のガス使用量データを表示することができるので、利用者にバーナー毎のガスの使用量の目安を通知できる燃焼機器リモコンを提供することができる。
【００３１】
また、請求項５に記載の発明は、請求項２または４に記載の発明に加えて、燃焼機器リモコンに表示するガス使用量データは、ガス使用量の積算値であることを特徴とする燃焼機器リモコンであり、上記構成、動作によると、メンテナンス信号に含まれるガスの使用量を取得する命令から取得できるガス使用量のデータは、積算値であるので、燃焼機器で取得したガス使用量データを燃焼機器リモコンに送信し、燃焼機器リモコンでは燃焼機器リモコンの表示部に燃焼機器から取得したガス使用量の積算値を表示させるだけでよいので、複雑な処理をすることなく、簡単にガスの使用量を利用者に知らせることができる。
【００３２】
また、請求項６に記載の発明は、請求項２または４または５に記載の発明に加えて、燃焼機器から送信するガス使用量データを記憶するガス使用量記憶手段と、所定の時間のガス使用量を算出するガス使用量算出手段を備え、所定の時間の間に使用したガス使用量データを前記燃焼機器リモコンに表示する燃焼機器リモコンであり、上記構成、動作によると、燃焼機器から送信されてきたガス使用量データの積算値を記憶するガス使用量記憶手段と、所定の時間のガス使用量を算出するガス使用量算出手段を設けることで、１日毎のガス使用量であるとか、１ヶ月毎のガス使用量のデータという形で、利用者にガスの使用量を提供することができる。
【００３３】
また、請求項７に記載の発明は、請求項２または４から６に記載の発明に加えて、燃焼機器リモコンに表示するガス使用量データは、所定の時間の間に使用したガス使用量をグラフ化し前記燃焼機器リモコンの表示部に表示する燃焼機器リモコンであり、上記構成、動作によると、取得した所定時間毎のガス使用量をグラフ化させて燃焼機器リモコンの表示部に表示させることで、利用者にわかりやすくガスの使用量を提供することができる。
【００３４】
また、請求項８に記載の発明は、請求項１または４から７に記載の発明に加えて、燃焼機器リモコンは、ネットワーク網を介してガス会社または管理会社が管理するサーバーと接続されており、ガス会社や管理会社からのガス使用量またはガス料金をサーバーからダウンロードし、前記燃焼機器リモコンの表示部に表示する燃焼機器リモコンであり、上記構成、動作によると、ガス会社または管理会社から、ガスの検針によるガス使用量またはガス料金のデータをダウンロードし燃焼機器リモコンの表示部に表示するので、利用者は、通常、燃焼機器から送信されるガス使用量からガス使用量の目安を知ることができ、定期的に行われる検針が行われた後は、ガスの検針結果による正確なガス使用量またはガス料金も通知することができる燃焼機器リモコンを提供することができる。
【００３５】
また、請求項９に記載の発明は、請求項１から８のいずれかに記載の燃焼機器または燃焼機器リモコンが有する機能の一部または全部を外部コンピュータにより実行するためのプログラムとして出力できるようにした燃焼機器である。
そしてそのプログラムを家庭にあるコンピュータ等などを用いて本発明の電気機器の一部あるいは全部の機能を容易に実現することができる。
【００３６】
【実施例】
本発明の実施例について説明する。
【００３７】
（第１の実施例）
まず、第１の実施例の構成について、図１、図２を用いて説明する。
【００３８】
また、従来例の構成要素と重複するものは同一の符号を用いて、その説明は省略する。
【００３９】
図１は、熱源機システムの構成の例である。２１−ａ、２１−ｂは燃焼機器端末である床暖房である。床暖房は、例えば、リビングと寝室、リビングと子供部屋というように、１つの熱源機に対して複数の端末を接続することができる。
【００４０】
４１は暖房用バーナーである。暖房用バーナー４１は低温水と高温水２種類の温度の水を同時に取り出すことが可能であり、例えば、低温水は床暖房に利用され、高温水はエアコンの暖房や乾燥などに利用される。
【００４１】
４２は給湯用バーナーである。給湯用バーナーは、お風呂等に給湯する場合、給水されてきた水を給湯用バーナー４２で暖め、給湯を行うしくみになっている。
【００４２】
次に図２の構成について説明する。
【００４３】
図２は本発明の第１の実施例である、燃焼機器からガスの使用量を取得する熱源機制御システムのブロック図を示す図である。
【００４４】
５は通信制御手段であり、通信制御手段５は燃焼機器リモコン１と燃焼機器１１の通信制御を行っている。
【００４５】
６は記憶手段であり、アプリケーションの動作や利用者の個人情報などの記憶を行う。
【００４６】
７はリモコン制御手段であり、ＣＰＵなどから構成され、燃焼機器リモコン１の動作の制御を行っている。
【００４７】
１８はガス使用量測定手段であり、燃焼機器で使用したガスの使用量を測定するものである。
【００４８】
１９は信号送信手段であり、ガス使用量測定手段で取得したガス使用量のデータを燃焼機器１１から燃焼機器リモコン１へ送信するものであり、燃焼機器から燃焼機器リモコンへの信号は信号送信手段１９によって行われる。
【００４９】
次に本実施例の動作について説明する。
【００５０】
まず、ガス使用量測定手段１８について説明する。
【００５１】
現在、機器をメンテナンスするためなどの目的で、燃焼機器１１の状態情報や、故障情報等を出力する燃焼機器１１とこれをメンテナンスするためのパソコンで構成したメンテナンス機器が考案されている。このメンテナンス用の命令は熱源機メーカーにオープンにされているものである。命令には、端末機器コード取得命令や、熱源機積算通電時間取得命令など、燃焼機器１１の状態等の情報を取得するための命令が用意されている。
【００５２】
その命令の中には、積算使用熱量を取得する命令も用意されており、ガス使用量の積算値を取得することができる。
【００５３】
ただし、メンテナンス信号から取得できるガス使用量データは正確ではないので、利用者には、燃焼機器リモコン１に表示されるガス使用量のデータは目安であり、正確なガス使用量や料金は、ガス会社から送られてくるガス使用量を確認していただくことを、明確にしておく必要がある。
【００５４】
しかし、ガス使用量測定手段１８は、この命令を用いて、所定の時間毎にガスの積算使用量を取得することができる。取得したガスの使用量のデータは前記信号送信手段１９によって燃焼機器リモコン１に送信し、燃焼機器リモコン１の表示部２に表示することができる。
【００５５】
上記構成においては、既存のメンテナンス信号を用いて、ガスの使用量を取得し燃焼機器リモコン１の表示部２に表示しているので、燃焼機器リモコン１は新たな回路を開発することなく、ソフトの開発のみで、ガス使用量を取得し燃焼機器リモコン１の表示部に表示させる燃焼機器リモコンを提供することができる。
【００５６】
また、検針等の作業が必要ないので、利用者は頻繁にガスの使用量を知ることができる。
【００５７】
（第２の実施例）
第２の実施例は、第１の実施例に加えて、取得したガスの使用量のデータをガス使用量記憶手段８に記憶し、ガス使用量算出手段９によって、所定の時間のガス使用量を算出するものであり、その他の構成、動作は第１の実施例と同じである。
【００５８】
そこで以下では第２の実施例の構成、動作について、第１の実施例との相違点を中心に述べ、その他の構成、動作については第１の実施例と同じものとする。
【００５９】
次に第２の実施例の構成について、図３を用いて説明する。
【００６０】
８はガス使用量記憶手段であり、ガス使用量記憶手段は燃焼機器１１から送信されたガス使用量を記憶する。本実施例を示す図３では、記憶手段６の一部の領域をガス使用量記憶手段として用いているが、記憶手段６とは別の記憶手段または別の記憶手段の一部をガス使用量記憶手段８としても、その効果は変わらない。
【００６１】
９はガス使用量算出手段であり、ガス使用量算出手段９は、ガス使用量記憶手段９に記憶されているガス使用量データを用いて、ある所定の時間に使用されたガス使用量を算出するものである。
【００６２】
次に第２の実施例の動作について説明する。
【００６３】
燃焼機器リモコン１は、前記燃焼機器リモコン１に前記燃焼機器１１から送信されるガスの積算使用量データを記憶する、ガス使用量記憶手段８と、所定の時間のガス使用量を算出する、ガス使用量算出手段９を備えている。
【００６４】
前記燃焼機器１１から送信される積算ガス使用量を、ガス使用量記憶手段８に記憶し、ガス使用量の積算データが１日に１回燃焼機器リモコン１へ送信されるとき、ガス使用量記憶手段８に記憶されている前回のデータと、今回燃焼機器１１から送信されてきたデータの差を、ガス使用量算出手段９において計算し、１日のガス使用量として、燃焼機器リモコン１の表示部２に表示するといったコンテンツを提供することができる。
【００６５】
さらに、１日のガス使用量を表示すると共に、例えば、毎日更新される１日のガス使用量を燃焼機器リモコン１のメモリに記憶し、毎日のガス使用量のデータをグラフ化したものを燃焼機器リモコン１の表示部２に表示させることで、利用者に毎日のガス使用量の比較が非常にわかりやすい燃焼機器リモコン１を提供することができる。
【００６６】
ガス使用量のグラフ化の例を図４に示す。このような表示に関するコンテンツは、燃焼機器１１からのガス使用量データさえ取得すれば、燃焼機器リモコン１のプログラムによって、前述した毎日のガス使用量データのグラフ化だけでなく、一月毎のガス使用量のグラフ化であったり、１年トータルでのガス使用量の表示等、様々な形式でガスの使用量を利用者に提供することができる。
【００６７】
また、燃焼機器１１からガス使用量を取得し、燃焼機器リモコン１に送信するので、検針したガス使用量のデータをネットワーク網を介してダウンロードする等の必要がないので、前記燃焼機器リモコン１が必ずしも外部のサーバー等と接続されていなくても、表示部２にガス使用量を表示する燃焼機器リモコンを提供することができる。
【００６８】
（第３の実施例）
第３の実施例は、第１および第２の実施例に加えて、メンテナンス用の命令の中に用意されているバーナー毎のガスの積算使用熱量を取得する命令を用いて、バーナー毎のガスの使用量を取得し、燃焼機器リモコン１の表示部に表示させるものであり、その他の構成、動作は第１および第２の実施例と同じものである。
【００６９】
そこで以下では第３の実施例の構成、動作について、第１および第２の実施例との相違点を中心に述べ、その他の構成、動作については第１および第２の実施例と同じものとする。
【００７０】
次に第３の実施例の構成について、図１、図３を用いて説明する。
【００７１】
図１に示したように、燃焼機器１１が暖房機用バーナー４１と給湯機用バーナー４２を設けている場合もある。暖房用バーナー４１は低温水と高温水２種類の温度の水を同時に取り出すことが可能であり、例えば、低温水は床暖房に利用され、高温水はエアコンの暖房や乾燥などに利用される。給湯用バーナー４２は、お風呂等に給湯する場合、給水されてきた水を給湯用バーナー４２で暖め、給湯を行うしくみになっている。
【００７２】
前述したメンテナンス信号の命令の中には、バーナー毎のガス使用量、つまり、給湯のガス使用熱量と、暖房のガス使用熱量がおのおの取得できるような命令が含まれている。
【００７３】
よって、図１のようにバーナーが２つ設けられている燃焼機器１１では、バーナー毎のガス使用量、つまり、給湯に用いたガス使用量と暖房に用いたガス使用量を各々取得することが可能である。
【００７４】
よって、給湯で用いたガス使用量と暖房で用いたガス使用量をそれぞれ燃焼機器リモコン１に送信し、燃焼機器リモコン１ではバーナー毎のガス使用量データを表示させることも可能である。
【００７５】
バーナー毎のガス使用量を利用者に提供することで、利用者がお風呂（給湯）などのガス使用量と、床暖房や浴室乾燥機（暖房）などのガス使用量を別々に知ることができる燃焼機器リモコンを提供することができる。
【００７６】
利用者はバーナー毎のガス使用量のデータが得られるので、例えば、自分の家では給湯と暖房、どちらのほうが無駄が多いかといった目安にすることができる。
【００７７】
（第４の実施例）
第４の実施例は、第１から第３の実施例に加えて、燃焼機器リモコン１をガス会社または管理会社のサーバーと接続する機能を備えるものであり、その他の構成、動作は第１から第３の実施例と同じものである。
【００７８】
そこで以下では第４の実施例の構成、動作について、第１から第３の実施例との相違点を中心に述べ、その他の構成、動作については第１から第３の実施例と同じものとする。
【００７９】
次に第４の実施例の動作について説明する。
【００８０】
第４の実施例は、第１から第３の実施例に加えて、燃焼機器１１が取得したガス使用量データを燃焼機器１１から燃焼機器リモコン１に送信し、燃焼機器リモコン１は受信したガス使用量データをガス会社や管理会社が管理するサーバーに送信するものである。
【００８１】
各家庭のガス使用量は、毎月検針を行ったり、ガスメータの自動検針などの手段により収集される。
【００８２】
ガス会社と契約し、ガスを使用している利用者が、毎月のガス使用量を知るのは、検針時に配布されていくガス使用量のお知らせであるとか、ガスの請求書または領収書などを見て知るのが一般的である。
【００８３】
第４の実施例は、ガス会社または管理会社が管理するサーバーと各家庭に設置している燃焼機器リモコン１がネットワーク網を介して接続されており、サーバーから燃焼機器リモコン１へガス使用量またはガス料金の情報がダウンロードされる。
【００８４】
各家庭に配信するガス使用量またはガス料金の情報が置かれているサーバーの格納場所（アドレス）が、各家庭毎に決められている。各家庭のガス使用量またはガス料金の情報は、必ず決められた格納場所に保持されており、それぞれの格納場所から各家庭へ配信される。
【００８５】
サーバーから送信されるデータはガスの検針から得られるガス使用量またはガス料金のデータであるため、毎日のガスの使用量を知ることはできないが、このように燃焼機器リモコン１がガス会社または管理会社のサーバーと接続可能な構成とすることで、日常、ガスの使用量の目安を知りたい場合は、第１の実施例で前述した手段と同様に、燃焼機器１１の積算使用熱量を取得する命令を用いて、燃焼機器１１の積算使用熱量を表示したり、取得した積算使用熱量を記憶し、前回との積算使用熱量のデータを比較して毎日の使用熱量の目安を表示したり、バーナー毎の使用熱量の目安を表示し、月一回は、ガスの検針から得られた正確なガス使用量またはガス料金を、燃焼機器リモコン１に表示するようなサービスを提供できる燃焼機器リモコンを提供することができる。
【００８６】
【発明の効果】
本発明によれば、機器をメンテナンスするためなどの目的で燃焼機器の状態情報や故障情報を出力する燃焼機器の状態情報や故障情報の信号の中のガス使用量を取得する命令を用いることにより、ガスの使用量の目安を取得できるので、利用者は月一回程度のガスの検針によるガス使用のだけでなく、燃焼機器から、ガスの使用量の目安を取得し、前記燃焼機器リモコンに送信することで、利用者にガスの使用量の目安を通知する燃焼機器を提供することができる。
【図面の簡単な説明】
【図１】本発明の燃焼機器全体のシステムを示す構成図
【図２】本発明の第１の実施例である熱源機制御システムのブロック図
【図３】本発明の第２、３の実施例である熱源機制御システムのブロック図
【図４】本発明の第２の実施例のガス使用量をグラフ化したリモコン画面の表示例を示す図
【図５】従来の燃焼機器の構成図
【図６】従来の燃焼機器リモコンの情報をサーバーに送信するシステムの構成図
【符号の説明】
１　燃焼機器リモコン
２　表示部
８　ガス使用量記憶手段
９　ガス使用量算出手段
１１　燃焼機器
１８　ガス使用量測定手段
１９　信号送信手段
３１　ガス会社または管理会社
３２　サーバー
３３　ネットワーク網
４１　暖房用バーナー（バーナー）
４２　給湯用バーナー（バーナー）
【図１】
2004144356.tif 000003
【図２】
2004144356.tif 000004
【図３】
2004144356.tif 000005
【図４】
2004144356.tif 000006
【図５】
2004144356.tif 000007
【図６】
2004144356.tif 000008